(57)【特許請求の範囲】
【請求項１】
成形金型のランナー部の周辺において、ランナー（３）を形成する金型に、型開工程中にランナー（３）との間に生じる滑り抵抗によってランナー（３）と共に前記金型に対して型開方向に所定の距離だけスライドした後にランナー（３）から離れる分離離形部材（１１）を構成したことを特徴とする、合成樹脂ランナー引き戻し構造を有する成形金型。
【請求項２】
前記分離離形部材（１１）は半円錐台形状であり、ランナー（３）との間に生じる滑り抵抗により斜めにスライドすることを特徴とする、請求項１記載の合成樹脂ランナー引き戻し構造を有する成形金型。
【請求項３】
前記分離離形部材（１１）に対向する位置に、ランナーロック部材（５）が挿入可能とされていることを特徴とする、請求項１または２記載の合成樹脂ランナー引き戻し構造を有する成形金型。
【発明の詳細な説明】
【０００１】
【発明の属する技術分野】
本発明は、射出成形機の成形金型に関するものであり、詳しくは、極度に低硬度な合成樹脂に適したランナー引き戻し構造を有する成形金型に関するものである。
【０００２】
【従来の技術】
従来、この種の成形金型としては、例えば、図７に示す構造のものが採用されている。（ａ）は成形金型の断面図、（ｂ）は（ａ）のＡ部拡大図である。同図に示すように、この成形金型は、可動型１、中間型２、ランナープレート４および固定型６が順次組み合わされて構成されている。前記固定型６には、複数のランナーロックピン５がランナープレート４を貫通可能に設けられ、該ランナーロックピン５の先端部にはランナー３と係合する係合部５ａが形成されている。
【０００３】
前記可動型１と中間型２との間に形成されているキャビティ７によって成形品８が形成され、中間型２によってランナー３が形成され、固定型６とランナープレート４に貫通されているノズルブッシュ９によってスプル１０が形成される。
【０００４】
上記成形金型のキャビティ７に充填された溶融樹脂が固化すると、型開工程が開始し、まず、可動型１が図中左側に移動して、可動型１と中間型２のパーティングラインＰＬ１が開き、成形品８が取り出される。次に、中間型２が図中左側に移動して、中間型２とランナープレート４のパーティングラインＰＬ２が開く。この時、成形されたランナー３は、ランナーロックピン５の食い付き抵抗により固定された形で、ランナープレート４と共に固定型６側に留まる。次に、ランナープレート４が図中左側に移動して固定型６から切り離されることにより、ランナー３はランナーロックピン５から取り外されて、外部に排出される。
【０００５】
【発明が解決しようとする課題】
従来の成形金型は、以上のように構成されているので、次のような問題点が存在していた。すなわち、中間型とランナープレートのパーティングラインが開く際、ランナーの材料がＪＩＳ−Ａ硬度５０以上であれば、ランナーは、ランナーロックピンへの食い付き抵抗が大きいので、ランナープレートと共に固定型側に留まるが、ＪＩＳ−Ａ硬度５０以下であれば、ランナーは、ランナーロックピンへの食い付き抵抗が少ないので中間型に残り、次のショットが出来なくなる。
【０００６】
これを解決するため、種々のランナー抜き出しピンの開発がなされたが、ランナーロックピンでランナーを引けば引くほどランナーがちぎれ、ランナーやスプルのカスが金型内に残り、樹脂流路を埋めてしまう。
【０００７】
このように、極度に低硬度な合成樹脂の場合、中間型からランナーの離形が困難であるので、射出成形が不可能とされ、成形事例はほとんど確認されていない。したがって、離形可能な最低硬度以上の合成樹脂でないと、成形できない状況にあり、低コスト金型であるコールドランナー金型での低硬度な合成樹脂の成形は不可能とされていた。
【０００８】
本発明は、上記問題点を解決するためになされたものであって、従来のコールドランナーでは不可能であった低硬度な合成樹脂を容易に成形することができるランナー引き戻し構造を有する成形金型を提供することを課題とする。
【０００９】
【課題を解決するための手段】
本発明は、成形金型のランナー部の周辺において、ランナーを形成する金型に、型開工程中にランナーとの間に生じる滑り抵抗によってランナーと共に前記金型に対して型開方向に所定の距離だけスライドした後にランナーから離れる分離離形部材を構成している。この分離離形部材は、ランナーとの間に生じる滑り抵抗によりスライドしてランナーと共に抜けるので、ランナーをランナーロックピンにより千切らずに抜き出すことができる。
【００１０】
【発明の実施の形態】
本発明の実施の形態を実施例に基づき図面を参照して説明する。
【００１１】
図１は、本発明による成形金型の構成図である。同図に示すように、成形金型は、可動型１、中間型２、固定型６が順次組み合わされて構成されている。
【００１２】
前記中間型２の各ランナー部の周部内側には、それぞれ分離離形部材であるランナースライドブロック１１が型開方向にスライド可能に設けられている。前記各ランナー部の周部外側には、前記スライドブロック１１に対向した位置に、固定型６に設けられたランナーロック部材であるランナーロックピン５が挿入可能とされている。本実施例では、ランナーロックピン５は半円柱形状とされ、その内側に鋸刃が形成されている。前記可動型１と中間型２との間に形成されているキャビティ７によって成形品８が形成され、中間型２によってランナー３が形成され、固定型６に挿入されているノズルブッシュ９によってスプル１０が形成される。
【００１３】
図２は、ランナースライドブロックの構成図であり、図３は、ランナースライドブロックの斜視図である。
【００１４】
図２および図３に示すようにランナースライドブロック１１は、半円錐台状で、その平面部には軸方向にランナー３の内側表面を形成する半円錐状のランナー溝１２が形成されている。図２（ｂ）に示すように、前記スライドブロック１１の外周（反ランナー側）の左右両側には、中間型２の半円錐台状の溝に斜めに加工された傾斜溝１３に嵌合される係合部１４がそれぞれ形成されている。なお、前記スライドブロック１１の先端側の下面にはストッパ−１５が形成され、後端側の端面には、前記ランナー溝１２と連通するランナー溝１６が形成されている。
【００１５】
すなわち、ランナースライドブロック１１は、その外周のスライド部分に、スライドすることで斜めに移動する係合部１４を有し、この係合部１４が、中間型２に斜めに加工された傾斜溝１３に沿って摺動することにより、前記スライドブロック１１はスライドしながらランナー３から離れる。
【００１６】
次に、成形金型の動作について、図１〜図２、図４〜図６を参照して説明する。
【００１７】
図１および図２は、形閉じ状態を示し、中間型２の各ランナー部の周部には、ランナースライドブロック１１とランナーロックピン５が対向して配置されている。成形金型に充填された溶融樹脂が固化すると、可動型１が図１中左側に移動して、可動型１と中間型２のパーティングラインＰＬ１が開き、成形品８が取り出される。
【００１８】
図４は、型開き途中、ランナーが中間型から抜きだされる状態を示している。
【００１９】
同図に示すように、中間型２が図１中左側に移動して、中間型２と固定型６のパーティングラインＰＬ２が開くと、成形されたランナー３が、ランナーロックピン５の食い付き抵抗により固定された状態で中間型２から引き抜かれる。その際、樹脂の滑り抵抗によって、ランナースライドブロック１１はランナー３と一緒に引き抜かれる。ランナー３は、中間型２に斜めに加工された傾斜溝１３に嵌合された係合部１４によって、ランナースライドブロック１１から離形する。ランナースライドブロック１１は、ストッパー１５が中間型２に形成された段部に当るまで抜き出される。この段部は、ランナースライドブロック１１を中間型２から取り外すことができるように、板材などで形成することが望ましい。
【００２０】
このように、ランナースライドブロック１１は、ランナー３の滑り抵抗によりスライドしてランナー３と共に抜けるので、ランナー３をランナーロックピン５により千切らずに抜き出すことができる
図５は、型開き完了時におけるランナースライドブロックとランナーの状態を示し、型開き工程によって、スプル３は、ランナーロックピン５に固定された状態で、ランナースライドブロック１１から離れる。
【００２１】
図６は、ランナーが離形される状態を示し、固定型６に残されたランナー３は、外部から取り出しロボットなどで剥ぎ取られる。
【００２２】
前記引き出されたランナースライドブロック１１は、型閉工程において、固定型６によって押され、前記スライドブロック１１の係合部１４が傾斜溝１３を摺動して、元の位置に戻される。
【００２３】
【発明の効果】
本発明によると、コールドランナーの成形金型において、低硬度の合成樹脂のランナーを容易に取り出すことができるので、低硬度の合成樹脂の射出成形が可能となる。
【図面の簡単な説明】
【図１】本発明による成形金型の構成図である。
【図２】ランナースライドブロックの構成図であり、（ａ）は縦断面図でランナーが成形された状態を示し、（ｂ）は（ａ）のＡ−Ａ線断面図でランナーが取出された状態を示す。
【図３】ランナースライドブロックの斜視図である。
【図４】型開き途中、ランナーが中間型から抜きだされる状態を示す図である。
【図５】型開き完了時におけるランナースライドブロックとランナーの状態を示す図であり、（ａ）は、ランナースライドブロック側、（ｂ）は、ランナーロックピン側を示す。
【図６】ランナーが離形される状態を示す図であり、（ａ）は、ランナースライドブロック側、（ｂ）は、ランナーロックピン側を示す。
【図７】従来の成形金型の構成図である。
【符号の説明】
１  可動型
２  中間型
３  ランナー
４  ランナープレート
５  ランナーロックピン（ランナーロック部材）
５ａ  係合部
６  固定型
７  キャビティ
８  成形品
９  ノズルブッシュ
１０  スプル
１１  ランナースライドブロック（分離離形部材）
１２、１６  ランナー溝
１３  傾斜溝
１４  係合部
１５  ストッパー
【図１】
0003554680.tif 000002
【図２】
0003554680.tif 000003
【図３】
0003554680.tif 000004
【図４】
0003554680.tif 000005
【図５】
0003554680.tif 000006
【図６】
0003554680.tif 000007
【図７】
0003554680.tif 000008